(57)【特許請求の範囲】
【請求項１】
通信に関わる所定の動作を実行する固有装置と、この固有装置の動作を通信回線を介して制御する汎用計算機とをそれぞれ有してなる複数のサブシステムを有し、かつ前記複数のサブシステムが共通接続手段を介して互いに接続されてなる通信装置において、
各サブシステムと前記共通接続手段との間の通信の開放／接続を行う接続処理手段を備えるともに、
前記固有装置には、
起動時に自サブシステムと前記共通接続手段との間の通信を開放するよう前記接続処理手段を制御する開放制御手段と、
この開放制御手段の制御の下に自サブシステムと前記共通接続手段との間の通信が開放されたのちに、自サブシステムを識別するための所定の識別情報を同報送信する識別情報送信手段と、
この識別情報送信手段により前記識別情報の送信を行ったのちに前記通信回線を介して到来する接続情報を受信し、自サブシステム内の汎用計算機との通信を行う際の接続情報として設定する接続情報受信設定手段と、
この接続情報受信設定手段により前記接続情報の設定を行ったのちに自サブシステムと前記共通接続手段との間の通信を接続するよう前記接続処理手段を制御する接続制御手段とを備え、
また前記汎用計算機には、
サブシステム内の固有装置と汎用計算機とが通信を行うために必要な接続情報が前記複数のサブシステムの全てに対応して設定されたデータベースと、
前記固有装置から同報送信される識別情報を受信してその識別情報が示すサブシステムに対応する接続情報を前記データベースから抽出し、当該接続情報を自サブシステム内の固有装置との通信を行う際の接続情報として設定する接続情報抽出設定手段と、
この接続情報抽出設定手段により抽出された接続情報を同報送信する接続情報送信手段とを備えたことを特徴とする通信装置。
【請求項２】
少なくとも、通信に関わる所定の動作を実行する固有装置と、この固有装置の動作を制御する汎用計算機とを内部通信回線および内部接続手段を介してそれぞれ接続してなる複数のサブシステムを有し、かつ少なくとも前記複数のサブシステムが外部通信回線および外部接続手段を介して互いに接続されており、これら複数のサブシステムのうちのいずれか１つが現用系として、その他のサブシステムが待機系としてそれぞれ動作する通信装置において、
前記外部接続手段には、
その外部接続手段に接続された前記外部通信回線の状態を監視する外部回線監視手段を備え、
また前記複数のサブシステムのそれぞれが有する固有装置には、
その固有装置と他のサブシステムとの通信の状態を監視する外部通信監視手段と、
自サブシステムが現用系であるときに、前記外部回線監視手段により前記外部接続手段に接続された前記外部通信回線のいずれかに異常が検出されたときには当該外部通信回線を、また前記外部通信監視手段により通信の異常が検出されたときには当該異常を検出した外部通信監視手段が備えられた固有装置の通信相手であるサブシステムと前記外部接続手段との間の外部通信回線をそれぞれ開放するよう前記外部接続手段を制御する外部異常時制御手段とを備えたことを特徴とする通信装置。
【請求項３】
少なくとも、通信に関わる所定の動作を実行する固有装置と、この固有装置の動作を制御する汎用計算機とを内部通信回線および内部接続手段を介してそれぞれ接続してなる複数のサブシステムを有し、かつ少なくとも前記複数のサブシステムが外部通信回線および外部接続手段を介して互いに接続されてなる通信装置において、
前記内部接続手段には、
その内部接続手段に接続された前記内部通信回線の状態を監視する内部回線監視手段を備え、
前記外部接続手段には、
その外部接続手段に接続された前記外部通信回線の状態を監視する外部回線監視手段を備え、
また前記固有装置には、
その固有装置と他部との通信の状態を監視する内部通信監視手段と、
その固有装置と他のサブシステムとの通信の状態を監視する外部通信監視手段と、
前記内部回線監視手段により前記内部接続手段に接続された前記内部通信回線のいずれかに異常が検出されたときには当該内部通信回線を、また前記内部通信監視手段により通信の異常が検出されたときには当該異常を検出した内部通信監視手段が備えられた固有装置の通信相手と前記内部接続手段との間の内部通信回線をそれぞれ開放するよう前記内部接続手段を制御する内部異常時制御手段と、
自サブシステムが現用系であるときに、前記外部回線監視手段により前記外部接続手段に接続された前記外部通信回線のいずれかに異常が検出されたときには当該外部通信回線を、また前記外部通信監視手段により通信の異常が検出されたときには当該異常を検出した外部通信監視手段が備えられた固有装置の通信相手であるサブシステムと前記外部接続手段との間の外部通信回線をそれぞれ開放するよう前記外部接続手段を制御する外部異常時制御手段とを備えたことを特徴とする通信装置。
【請求項４】
内部異常時制御手段は、自サブシステムが現用系であるときには、内部接続手段と汎用計算機との間の内部通信回線に異常が検出されたとき、または内部通信監視手段により汎用計算機との間の通信の異常が検出されたときには、現用系を他のサブシステムに切り替えるための所定の処理を併せて行うことを特徴とする請求項３に記載の通信装置。
【発明の詳細な説明】
【０００１】
【産業上の利用分野】
本発明は、例えば回線交換動作などのような通信に関わる所定の動作を実行する固有装置と、この固有装置の動作を通信回線を介して制御する汎用計算機とを有してなる通信装置に関する。
【０００２】
【従来の技術】
近年、構内交換装置などの通信装置では、拡張性を高めるために交換制御などの制御動作を汎用計算機により行うものが考えられている。
この種の通信装置は、実際の通信動作を行う基本的な機能のみを有した固有装置に、通信回線を介して汎用計算機を接続してなる。具体的には構内交換装置の場合、局線や内線を収容する各種インタフェースや交換スイッチなどの基本的な要素のみを有して交換制御の機能を有さない固有装置に、通信回線を介して汎用計算機を接続してなる。
【０００３】
さて、固有装置と汎用計算機とを接続する通信回線には、イーサネットなどのＬＡＮ回線が用いられる。このため固有装置と汎用計算機とが互いに通信するためには、通信に必要なアドレスなどの情報（接続情報）を互いに有している必要がある。そこで従来は、固有装置および汎用計算機のそれぞれに、接続情報を予め設定している。
【０００４】
固有装置と汎用計算機とが通信するためには、両者に設定された接続情報が一致している必要がある。このため装置の構築時には、固有装置および汎用計算機のそれぞれに設定された接続情報が一致していることを確認する必要があり、装置の構築に係る作業が複雑となっていた。
【０００５】
また、接続情報が一致していることを確認する作業が正しく行われず、固有装置と汎用計算機とで異なる接続情報が設定されたままになってしまう恐れがある。この場合には、固有装置と汎用計算機との通信が全く行えなくなってしまう。
【０００６】
一方、一般的にＬＡＮの接続装置においては、回線断などの物理レイヤ上での障害検出や障害が生じた回線の解放を行う機能を有している場合があるが、この機能では物理レイヤよりも上位のレイヤで生じた異常を監視することはできない。
【０００７】
ところで、前述のような固有装置と汎用計算機とからなる構内交換装置には、料金管理処理などを行う外部支援装置などの他の装置も接続される場合がある。さらには、固有装置と汎用計算機とを一対としてなるユニットをサブシステムとしてこのサブシステムを複数設け、多重化構成をとる場合もある。
【０００８】
このように種々の装置がＬＡＮを介して接続される場合、ある部位にて異常が生じた場合に、その異常が他の正常な部位にまで影響する場合がある。上述のようにＬＡＮの接続装置において対処できない異常が生じた場合には、その異常は放置されることになるので、装置全体の動作が異常になってしまう恐れがある。
【０００９】
【発明が解決しようとする課題】
以上のように従来の通信装置は、固有装置および汎用計算機のそれぞれに同一の接続情報を設定しなければならず、正確を期するためには作業が複雑となり、異なる接続情報が設定されてしまうと固有装置と汎用計算機との通信が行えずに、所期の動作が行えなくなってしまうという不具合があった。
【００１０】
また、ＬＡＮの接続装置が有する障害回線を開放する機能によってのみ異常に対処するものとなっているため、物理レイヤよりも上位のレイヤでの異常に対処することができず、異常が放置されることで正常な部位の動作を妨げてしまう恐れがあった。
【００１１】
本発明はこのような事情を考慮してなされたものであり、その目的とするところは第１に、固有装置および汎用計算機に同一の接続情報を簡易かつ正確に設定することができる通信装置を提供することにある。
【００１２】
また第２に、物理レイヤよりも上位のレイヤでの異常が生じた場合でも、その異常の発生箇所を他の正常な部位から切り離すことができ、正常な部位による正常な動作を維持することができる通信装置を提供することにある。
【００１３】
【課題を解決するための手段】
第１の目的を達成するために第１の発明は、各サブシステムと共通接続手段との間の通信の開放／接続を行う接続処理手段を備えるとともに、前記固有装置には、起動時に自サブシステムと前記共通接続手段との間の通信を開放するよう前記接続処理手段を制御する開放制御手段と、この開放制御手段の制御の下に自サブシステムと前記共通接続手段との間の通信が開放されたのちに、自サブシステムを識別するための所定の識別情報を同報送信する識別情報送信手段と、この識別情報送信手段により前記識別情報の送信を行ったのちに前記通信回線を介して到来する接続情報を受信し、自サブシステム内の汎用計算機との通信を行う際の接続情報として設定する接続情報受信設定手段と、この接続情報受信設定手段により前記接続情報の設定を行ったのちに自サブシステムと前記共通接続手段との間の通信を接続するよう前記接続処理手段を制御する接続制御手段とを備え、また前記汎用計算機には、サブシステム内の固有装置と汎用計算機とが通信を行うために必要な接続情報が前記複数のサブシステムの全てに対応して設定されたデータベースと、前記固有装置から同報送信される識別情報を受信してその識別情報が示すサブシステムに対応する接続情報を前記データベースから抽出し、当該接続情報を自サブシステム内の固有装置との通信を行う際の接続情報として設定する接続情報抽出設定手段と、この接続情報抽出設定手段により抽出された接続情報を同報送信する接続情報送信手段とを備えた。
【００１５】
また第２の目的を達成するために第２の発明は、固有装置とこの固有装置の動作を制御する汎用計算機とを内部通信回線および内部接続手段を介してそれぞれ接続してなる複数のサブシステムを接続する外部接続手段には、その外部接続手段に接続された前記外部通信回線の状態を監視する外部回線監視手段を備え、また前記複数のサブシステムのそれぞれが有する固有装置には、その固有装置と他のサブシステムとの通信の状態を監視する外部通信監視手段と、外部異常時制御手段とを備え、この外部異常時制御手段が、自サブシステムが現用系であるときに、前記外部回線監視手段により前記外部接続手段に接続された前記外部通信回線のいずれかに異常が検出されたときには当該外部通信回線を、また前記外部通信監視手段により通信の異常が検出されたときには当該異常を検出した外部通信監視手段が備えられた固有装置の通信相手であるサブシステムと前記外部接続手段との間の外部通信回線をそれぞれ開放するよう前記外部接続手段を制御するようにした。
【００１６】
また第２の目的を達成するために第３の発明は、固有装置と汎用計算機とを接続する内部接続手段には、その内部接続手段に接続された前記内部通信回線の状態を監視する内部回線監視手段を備え、前記外部接続手段には、その外部接続手段に接続された前記外部通信回線の状態を監視する外部回線監視手段を備え、さらに前記固有装置には、その固有装置と他部との通信の状態を監視する内部通信監視手段と、その固有装置と他のサブシステムとの通信の状態を監視する外部通信監視手段と、内部異常時制御手段と、外部異常時制御手段とを備え、内部異常時制御手段が、前記内部回線監視手段により前記内部接続手段に接続された前記内部通信回線のいずれかに異常が検出されたときには当該内部通信回線を、また前記内部通信監視手段により通信の異常が検出されたときには当該異常を検出した内部通信監視手段が備えられた固有装置の通信相手と前記内部接続手段との間の内部通信回線をそれぞれ開放するよう前記内部接続手段を制御するとともに、前記外部異常時制御手段が、自サブシステムが現用系であるときに、前記外部回線監視手段により前記外部接続手段に接続された前記外部通信回線のいずれかに異常が検出されたときには当該外部通信回線を、また前記外部通信監視手段により通信の異常が検出されたときには当該異常を検出した外部通信監視手段が備えられた固有装置の通信相手であるサブシステムと前記外部接続手段との間の外部通信回線をそれぞれ開放するよう前記外部接続手段を制御するようにした。
【００１７】
また第２の目的を達成するために第４の発明は、第３の発明における内部異常時制御手段を、自サブシステムが現用系であるときには、内部接続手段と汎用計算機との間の内部通信回線に異常が検出されたとき、または内部通信監視手段により汎用計算機との間の通信の異常が検出されたときには、現用系を他のサブシステムに切り替えるための所定の処理を併せて行うものとした。
【００１８】
【作用】
第１の発明の手段を講じたことにより、各サブシステムでは起動時において、自サブシステムを識別するための所定の識別情報が同報送信で固有装置から汎用計算機に通知され、汎用計算機が自己が属するサブシステムを認識する。そして前記汎用計算機では、データベースに設定された各サブシステムのそれぞれに対応する接続情報の中から自サブシステムに対応するものが抽出されて自サブシステム内の固有装置との通信を行う際の接続情報として設定されるとともに、同報送信される。一方、前記固有装置では、前記汎用計算機から送信されて前記通信回線を介して到来した接続情報が受信され、自サブシステム内の汎用計算機との通信を行う際の接続情報として設定される。なお以上の処理は、各サブシステムと共通接続手段との間の通信を開放したのちに行われ、上記処理が終了したのちに自サブシステムと前記共通接続手段との間の通信が接続される。
【００１９】
従って、汎用計算機に設定された全てのサブシステムに対応する接続情報のうちのいずれかが、同一のサブシステムに属する汎用計算機および固有装置の双方に共通に設定される。この接続情報の設定を行うための識別情報および接続情報の通信は、前記共通接続手段との間の通信を開放しておくことで、他のサブシステムに影響を与えることなく同報通信で行える。
【００２０】
また第２または第３の発明の手段を講じたことにより、固有装置と汎用計算機とを接続する接続手段（内部接続手段、外部接続手段）に接続された通信回線（内部通信回線、外部通信回線）の状態が監視されるとともに、固有装置と他部との通信の状態が監視される。そして前記接続手段に接続された前記通信回線のいずれかに異常が検出されたときには当該通信回線が、また前記通信監視手段により通信の異常が検出されたときには当該異常が生じた通信における前記固有装置の通信相手と前記接続手段との間の通信回線が前記接続手段にてそれぞれ開放される。
【００２１】
従って、各通信回線の物理的な障害はもちろんのこと、物理レイヤよりも上位のレイヤの規定に反するような障害が発生した場合には、その原因となる通信回線または障害発生元との間の通信回線が開放され、障害箇所が正常な各部から切断される。
【００２２】
また第４の発明の手段を講じたことにより、固有装置と汎用計算機とを接続する接続手段（内部接続手段、外部接続手段）に接続された通信回線（内部通信回線、外部通信回線）の状態が監視されるとともに、固有装置と他部との通信の状態が監視される。そして前記接続手段に接続された前記通信回線のいずれかに異常が検出されたときには当該通信回線が、また前記通信監視手段により通信の異常が検出されたときには当該異常が生じた通信における前記固有装置の通信相手と前記接続手段との間の通信回線が前記接続手段にてそれぞれ開放され、さらに現用系であるサブシステムにおいては、内部接続手段と汎用計算機との間の内部通信回線に異常が検出されたとき、または内部通信監視手段により汎用計算機との間の通信の異常が検出されたときには、現用系が他のサブシステムに切り替えられる。
【００２３】
従って、各通信回線の物理的な障害はもちろんのこと、物理レイヤよりも上位のレイヤの規定に反するような障害が発生した場合には、その原因となる通信回線または障害発生元との間の通信回線が開放され、障害箇所が正常な各部から切断されるとともに、現用系であったサブシステムが正常動作が行えなくなれば、現用系が他のサブシステムに切り替えられて正常な動作が継続される。
【００２４】
【実施例】
（第１実施例）
以下、図面を参照して本発明の第１実施例につき説明する。
図１は本実施例に係る通信装置を適用して構成された構内交換装置の概略構成を示すブロック図である。この図に示すように本実施例の構内交換装置は、２つのサブシステム１−０  ，１−１  、外部ハブ２および外部回線３からなり、２つのサブシステム１−０  ，１−１  が、外部ハブ２および外部回線３からなる外部ＬＡＮ（例えばイーサネット）を介して互いに接続されている。
【００２５】
サブシステム１−０  ，１−１  はそれぞれ、ＰＢＸ固有部１１（１１−０，１１−１）、ＰＢＸ制御部１２（１２−０，１２−１）、内部ハブ１３（１３−０，１３−１）および内部回線１４（１４−０，１４−１）を有してなる。すなわち、サブシステム１−０  ，１−１  は互いに同様な構成を有し、サブシステム１−０  を０系、サブシステム１−１  を１系とした二重化構成をなしている。
【００２６】
ＰＢＸ固有部１１は、局線や内線を収容する各種インタフェースや交換スイッチなどの構内交換装置における基本的な動作を行う要素のみを有し、交換制御の機能を有さない。ＰＢＸ制御部１２は汎用計算機よりなり、内部ハブ１３および内部回線１４からなる内部ＬＡＮ（例えばイーサネット）を介してＰＢＸ固有部１１と通信を行いつつ、このＰＢＸ固有部１１を制御して交換動作を実現する。内部ハブ１３は、内部回線１４間の接続や内部回線１４と外部回線３との接続等を行ってＰＢＸ固有部１１とＰＢＸ制御部１２との間での通信や、ＰＢＸ固有部１１と他サブシステムとの間の通信を可能とするものである。この内部ハブ１３は、ＰＢＸ固有部１１からの指示に応じて外部回線３を開放／接続する機能を有する。
【００２７】
図２はＰＢＸ固有部１１の詳細な構成を示すブロック図である。この図に示すようにＰＢＸ固有部１１は、タイムスイッチ１１０、ｍ個の局線インタフェース１１１（１１１−１  〜１１１−ｍ  ）、ｎ個の内線インタフェース１１２（１１２−１  〜１１２−ｎ  ）、イーサネットインタフェース１１３、内部ハブ制御インタフェース１１４、識別情報読出部１１５および固有部制御部１１６を備えており、局線インタフェース１１１、内線インタフェース１１２、イーサネットインタフェース１１３、内部ハブ制御インタフェース１１４および識別情報読出部１１５は、バス１１７を介して固有部制御部１１６に接続されている。
【００２８】
タイムスイッチ１１０には、局線インタフェース１１１および内線インタフェース１１２がＰＣＭハイウェイ１１８を介してそれぞれ接続されており、固有部制御部１１６の制御に基づいてＰＣＭハイウェイ１１８上のタイムスロットの入れ替えを行うことによって局線インタフェース１１１および内線インタフェース１１２を任意に交換接続する。
【００２９】
局線インタフェース１１１には、公衆回線や専用線などの局線ＣＫＴ（ＣＫＴ−１  〜ＣＫＴ−ｍ  ）がおのおの接続されている。局線インタフェース１１１は、局線ＣＫＴを介して到来する音声信号（アナログ）のＰＣＭ信号への変換、タイムスイッチ１１０を介して与えられるＰＣＭ信号の音声信号（アナログ）への変換、局線ＣＫＴの状態監視や、局線ＣＫＴを介して接続された網に対する種々の信号の送出などの局線インタフェース動作が行なわれる。また局線インタフェース１１１は、上記局線インタフェース動作に係わる制御情報の授受を、バス１１７、イーサネットインタフェース１１３、内部回線１４および内部ハブ１３を介して自サブシステム内の固有部制御部１１６との間で行う。
【００３０】
内線インタフェース１１２には、内線電話機ＴＥＬ（ＴＥＬ−１  〜ＴＥＬ−ｎ  ）がおのおの接続されている。内線インタフェース１１２は、内線電話機ＴＥＬから出力される音声信号（アナログ）のＰＣＭ信号への変換、タイムスイッチ１１０を介して与えられるＰＣＭ信号の音声信号（アナログ）への変換、内線電話機ＴＥＬの状態監視や、内線電話機ＴＥＬに対する種々の信号の送出などの内線インタフェース動作が行なわれる。また内線インタフェース１１２は、上記内線インタフェース動作に係わる制御情報の授受を、バス１１７、イーサネットインタフェース１１３、内部回線１４および内部ハブ１３を介して自サブシステム内の固有部制御部１１６との間で行う。
【００３１】
イーサネットインタフェース１１３には、内部回線１４が接続されており、内部ＬＡＮへの各種信号の送出や内部ＬＡＮを介して到来する各種信号の取込みなどのインタフェース処理を行う。
【００３２】
内部ハブ制御インタフェース１１４は、固有部制御部１１６が内部ハブ１３を制御するために出力する制御情報を内部ハブ１３へと与えるものである。
識別情報読出部１１５は、当該ＰＢＸ固有部１１が属するサブシステムが０系および１系のいずれであるかを示す識別情報を、図示しない例えば設定スイッチなどの設定器から読出すものである。
【００３３】
固有部制御部１１６は、例えばマイクロコンピュータを主体として構成されたものであり、内部ＬＡＮを介しての通信を制御する手段などを有し、タイムスイッチ１１０、局線インタフェース１１１あるいは内線インタフェース１１２などを制御して交換動作を実現するための処理手段は有していない。また固有部制御部１１６は、内部ハブ制御手段１１６ａ、識別情報送信手段１１６ｂおよび接続情報設定手段１１６ｃを有している。これらの手段は、電源投入などにともなう立上げ時において接続情報の設定を行うための処理（接続情報設定処理）を行うためのものである。内部ハブ制御手段１１６ａは、接続情報設定処理の際に外部ＬＡＮの開放／接続を行うべく内部ハブ１３を制御するものである。識別情報送信手段１１６ｂは、接続情報設定処理の際に識別情報読出部１１５で得られた識別情報を、内部ハブ１３により外部ＬＡＮの開放を行ったのちにＬＡＮへと同報送信するものである。接続情報設定手段１１６ｃは、接続情報設定処理の際に内部ＬＡＮを介して通知される接続情報を自サブシステム内のＰＢＸ制御部１２と通信するための接続情報として固有部制御部１１６内に有した記憶部（図示せず）に設定する。
【００３４】
図３はＰＢＸ制御部１２の詳細な構成を示すブロック図である。この図に示すようにＰＢＸ制御部１２は、交換処理部１２１、イーサネットインタフェース１２２、情報テーブル１２３および主制御部１２４を有し、これらはバス１２５を介して互いに接続されている。
【００３５】
交換処理部１２１は、バス１２５、イーサネットインタフェース１２２および内部回線１４を介してＰＢＸ固有部１１と通信し、ＰＢＸ固有部１１のタイムスイッチ１１０、局線インタフェース１１１および内線インタフェース１１２などを制御して交換動作を実現するための処理を行う。
【００３６】
イーサネットインタフェース１２２には、内部回線１４が接続されており、内部ＬＡＮへの各種信号の送出や内部ＬＡＮを介して到来する各種信号の取込みなどのインタフェース処理を行う。
【００３７】
情報テーブル１２３は、本構内交換装置が有する全てのサブシステム（本実施例ではサブシステム１−０  ，１−１  の２つ）に関する接続情報が全て設定されている。図４は情報テーブル１２３に設定された情報を模式的に示すものであり、装置運用上の識別名が“Ｓ１”であるサブシステム１については、そのサブシステム１が有するＰＢＸ固有部１１（識別名“ａ１”）のＩＰアドレスと、ＰＢＸ制御部１２（識別名“ｂ１”）のＩＰアドレスおよびＴＣＰポート番号がそれぞれ設定されている。また装置運用上の識別名が“Ｓ２”であるサブシステム１については、そのサブシステム１が有するＰＢＸ固有部１１（識別名“ａ２”）のＩＰアドレスと、ＰＢＸ制御部１２（識別名“ｂ２”）のＩＰアドレスおよびＴＣＰポート番号がそれぞれ設定されている。
【００３８】
主制御部１２４は、内部ＬＡＮを介しての通信を制御する手段などを有する。また主制御部１２４は、接続情報抽出設定手段１２４ａおよび接続情報送信手段１２４ｂを有する。これらの手段は、接続情報設定処理を行うためのものである。接続情報抽出設定手段１２４ａは、接続情報設定処理の際に内部ＬＡＮを介して通知される自サブシステムの識別情報を受け、この識別情報が示すサブシステムに対応する接続情報を情報テーブル１２３から抽出するとともに、この抽出した設定情報を自サブシステム内のＰＢＸ固有部１１と通信するための接続情報として主制御部１２４内に有した記憶部（図示せず）に設定する。接続情報送信手段１２４ｂは、接続情報抽出設定手段１２４ａにより抽出された接続情報をＬＡＮへと同報送信するものである。
【００３９】
次に以上のように構成された構内交換装置の動作を説明する。まずＰＢＸ固有部１１の固有部制御部１１６は電源投入などにともなって立上げられると、内部ハブ制御インタフェース１１４を介して内部ハブ１３に対して外部ハブ２の開放を指示する（図５中のステップＳＴ１１）。そうすると内部ハブ１３は、外部回線３を開放し、外部ハブ２を開放する。
【００４０】
続いて固有部制御部１１６は、識別情報読出部１１５により読出された自サブシステムの識別情報を取り込み（ステップＳＴ１２）、これをイーサネットインタフェース１１３を介してＬＡＮへと同報送信する（ステップＳＴ１３）。ここでの識別情報の送信は自サブシステム内のＰＢＸ制御部１２に対して行うものであるが、起動直後には接続情報を有しておらず自サブシステム内のＰＢＸ制御部１２と個別通信を行うことができないので同報送信を行うのである。なお、この際に外部ハブ２は開放されているので、同報送信した識別情報が他サブシステムに到達してしまうことはない。
【００４１】
一方、ＰＢＸ制御部１２の主制御部１２４は電源投入などにともなって立上げられると、まず内部ＬＡＮを介して自サブシステムの識別情報が到来するのを待ち受ける（図５中のステップＳＴ２１）。この状態で前述のようにＰＢＸ固有部１１から識別情報が送信され、これが内部ＬＡＮを介して到来すると、主制御部１２４はその識別情報が示すサブシステムに対応する接続情報を情報テーブル１２３から抽出し（ステップＳＴ２２）、この抽出した接続情報を自サブシステム内のＰＢＸ固有部１１と通信するための接続情報として自己に設定する（ステップＳＴ２３）。また主制御部１２４は、ステップＳＴ２２で抽出した接続情報をイーサネットインタフェース１２２を介してＬＡＮへと同報送信する（ステップＳＴ２４）。なお、この際に外部ハブ２は開放されているので、同報送信した接続情報が他サブシステムに到達してしまうことはない。
【００４２】
さて、ＰＢＸ固有部１１の固有部制御部１１６は、ステップＳＴ１３において識別情報の送信を行ったのちには、内部ＬＡＮを介して接続情報が到来するのを待ち受ける。従って、前述のようにＰＢＸ制御部１２から接続情報が送信され、これが内部ＬＡＮを介して到来すると、固有部制御部１１６はその接続情報を自サブシステム内のＰＢＸ制御部１２と通信するための接続情報として自己に設定し（ステップＳＴ１５）、続いて内部ハブ制御インタフェース１１４を介して内部ハブ１３に対して外部ハブ２の接続を指示する（ステップＳＴ１６）。そうすると内部ハブ１３は、外部回線３を接続し、外部ハブ２を接続する。
【００４３】
以降においては、固有部制御部１１６および主制御部１２４にそれぞれ設定された接続情報に基づいて同一のサブシステム内のＰＢＸ固有部１１とＰＢＸ制御部１２が個別通信を行い、これによりＰＢＸ制御部１２がＰＢＸ固有部１１における交換動作を制御する。
【００４４】
以上のように本実施例によれば、構内交換装置の構築時にはＰＢＸ固有部１１に接続情報は設定しておかず、またＰＢＸ制御部１２には属するサブシステム１に拘らずに全てのサブシステム１に関する接続情報を持たせておくので、接続情報はＰＢＸ制御部１２にのみ設定すれば良く、またその設定する情報は各サブシステム１に共通であるため、接続情報の設定のための作業は極めて簡単となり、また設定の間違いは極めて生じにくくなる。
【００４５】
また起動時には各サブシステム１において、そのサブシステム用の接続情報が抽出されるとともに、当該接続情報がそのサブシステム１内のＰＢＸ固有部１１およびＰＢＸ制御部１２の双方に設定されるので、同一のサブシステム１に含まれるＰＢＸ固有部１１およびＰＢＸ制御部１２に設定されている接続情報が異なってしまうことがない。
【００４６】
（第２実施例）
以下、図面を参照して本発明の第２実施例につき説明する。
図６は本実施例に係る通信装置を適用して構成された構内交換装置の概略構成を示すブロック図である。この図に示すように本実施例の構内交換装置は、２つのサブシステム４（４−０  ，４−１  ）、外部ハブ５、外部回線６、外部支援装置７および系状態制御部８からなり、２つのサブシステム４−０  ，４−１  および外部支援装置７が、外部ハブ５、外部回線６からなる外部ＬＡＮ（例えばツイストペアイーサネット）を介して互いに接続され、また系状態制御部８が２つのサブシステム４−０  ，４−１  のそれぞれに接続されている。
【００４７】
サブシステム４−０  ，４−１  はそれぞれ、ＰＢＸ固有部４１（４１−０，４１−１）、ＰＢＸ制御部４２（４２−０，４２−１）、内部支援装置４３（４３−０，４３−１）、内部ハブ４４（４４−０，４４−１）および内部回線４５（４５−０，４５−１）を有してなる。すなわち、サブシステム４−０  ，４−１  は互いに同様な構成を有し、サブシステム４−０  を０系、サブシステム４−１  を１系とした二重化構成をなしている。そしてサブシステム４−０  ，４−１  は、系状態制御部８の制御の下に、一方が現用系として、また他方が待機系としてそれぞれ動作する。
【００４８】
ＰＢＸ固有部４１は、局線や内線を収容する各種インタフェースや交換スイッチなどの構内交換装置における基本的な動作を行う要素のみを有し、交換制御の機能を有さない。ＰＢＸ制御部４２は汎用計算機よりなり、内部ハブ４４および内部回線４５からなる内部ＬＡＮ（例えばツイストペアイーサネット）を介してＰＢＸ固有部４１と制御情報を送受しながら、このＰＢＸ固有部４１を制御して交換動作を実現する。内部支援装置４３は、内部ＬＡＮを介してＰＢＸ制御部４２と制御情報を送受しながら、料金計算等の所定の支援処理を行う。内部ハブ４４は、内部回線４５間の接続や内部回線４５と外部回線６との接続等を行ってＰＢＸ固有部４１とＰＢＸ制御部４２との間での通信や、ＰＢＸ固有部４１と他サブシステムとの間の通信を可能とするものである。この内部ハブ４４は、ＰＢＸ固有部４１からの指示に応じて外部回線６や内部回線４５を任意に開放／接続する機能を有する。
【００４９】
外部ハブ５は、外部回線６間の接続等を行ってサブシステム４−０  ，４−１  および外部支援装置７の間での通信を可能とするものである。この外部ハブ５は、現用系であるサブシステム４中のＰＢＸ固有部４１からの指示に応じて外部回線６を任意に開放／接続する機能を有する。
【００５０】
外部支援装置７は、外部ＬＡＮおよび内部ＬＡＮを介して現用系であるサブシステム４中のＰＢＸ制御部４２と制御情報を送受しながら、料金計算等の所定の支援処理を行う。
系状態制御部８は、サブシステム４−０  ，４−１  のいずれか一方を現用系に、また他方を待機系にそれぞれ設定するものである。
【００５１】
図７はＰＢＸ固有部４１の詳細な構成を示すブロック図である。この図に示すようにＰＢＸ固有部４１は、イーサネットインタフェース４１０、通信処理部４１１、交換スイッチインタフェース４１２、ライントランク系通信インタフェース４１３、通信障害検出部４１４、ハブ障害検出部４１５、障害判断部４１６、障害判断テーブル４１７、ハブ制御部４１８および系状態制御部インタフェース４１９を有する。
【００５２】
イーサネットインタフェース４１０には、内部回線４５が接続されており、内部ＬＡＮへの各種信号の送出や内部ＬＡＮを介して到来する各種信号の取込みなどのインタフェース処理を行う。
【００５３】
通信処理部４１１は、イーサネットインタフェース４１０、内部ＬＡＮおよび外部ＬＡＮを介して自サブシステム内のＰＢＸ制御部４２、内部支援装置４３、他サブシステム４および外部支援装置７との間での通信処理を行う。
【００５４】
交換スイッチインタフェース４１２には、ライントランク系ＴＲＫに収容された公衆回線や専用線などの局線ＣＫＴ（ＣＫＴ−１  〜ＣＫＴ−ｍ  ）および内線電話機ＴＥＬ（ＴＥＬ−１  〜ＴＥＬ−ｎ  ）を任意に交換接続するための交換スイッチＳＷが接続されている。この交換スイッチインタフェース４１２は、通信処理部４１１で受信された制御情報や、交換スイッチＳＷで生じた制御情報などの通信処理部４１１と交換スイッチＳＷとの間での授受をインタフェースする。
【００５５】
ライントランク系通信インタフェース４１３には、ライントランク系ＴＲＫが接続されている。このライントランク系通信インタフェース４１３は、通信処理部４１１で受信された制御情報や、ライントランク系ＴＲＫで生じた制御情報などの通信処理部４１１とライントランク系ＴＲＫとの間での授受をインタフェースする。
【００５６】
通信障害検出部４１４は、通信処理部４１１にて受信される情報を監視し、物理レイヤよりも上位のレイヤで生じる通信障害を検出する。
ハブ障害表示検出部４１５は、外部ハブ５および内部ハブ４４が表示する障害情報を監視し、物理レイヤで生じる通信障害を検出する。
【００５７】
障害判断部４１６は、障害判断テーブル４１７を参照しながら、通信障害検出部４１４およびハブ障害表示検出部４１５での検出結果に基づいて障害の有無および障害の状況の判断を行う。また障害判断部４１６は障害を認識すると、ハブ制御部４１８に対する障害発生箇所の開放指示および系状態制御部インタフェース４１９を介して系状態制御部８に対する系切替え指示を障害の状況に応じて行う。
【００５８】
障害判断テーブル４１７は、障害発生箇所に対応付けてハブ制御部４１８に行わせる動作および系状態制御部８への指示内容が例えば図８に示すように設定されたものである。
【００５９】
ハブ制御部４１８は、障害判断部４１６からの開放指示に応じ、外部ハブ５および内部ハブ４４を制御して指定された回線の開放を行う。
系状態制御部インタフェース４１９は、障害判断部４１６から系状態制御部８への制御情報をインタフェースする。
【００６０】
次に以上のように構成された構内交換装置の動作を説明する。まず、系状態制御部８により現用系に設定されたサブシステム４では、ＰＢＸ固有部４１とＰＢＸ制御部４２が内部ＬＡＮを介して制御情報を送受信している。ＰＢＸ固有部４１の通信処理部４１１で受信された制御情報は、交換スイッチインタフェース４１２およびライントランク系通信インタフェース４１３を介して交換スイッチＳＷおよびライントランク系ＴＲＫに与えられる。そして交換スイッチＳＷおよびライントランク系ＴＲＫが与えられた制御情報に基づいて動作することにより、局線ＣＫＴおよび内線電話機ＴＥＬが任意に交換接続される。またＰＢＸ固有部４１は、必要に応じて内部支援装置４３および外部支援装置７との情報の授受を行う。
【００６１】
さて、以上のような動作がなされている中で、ＰＢＸ固有部４１は通信障害検出部４１４により、通信処理部４１１で受信される情報の状態を周期的に監視しており、物理レイヤよりも上位のレイヤの規定に反した情報が受信された場合に、その情報の送信元に通信障害が発生していることを検出する。
【００６２】
一方、外部ハブ５および内部ハブ４４は接続された外部回線６および内部回線４５の各回線の物理的な状態を監視し、その監視結果を表示している。そしてＰＢＸ固有部４１のハブ障害表示検出部４１５は、外部ハブ５および内部ハブ４４の表示を周期的に監視し、その内容から外部回線６および内部回線４５で生じる物理的な障害の発生を検出する。
【００６３】
ここで、例えば内部ハブ４４が内部支援装置４３との接続ポートにおける障害を検出し、表示したとする。そうするとＰＢＸ固有部４１においてハブ障害表示検出部４１５がこの障害発生を検出し、障害判断部４１６に通知する。障害判断部４１６は、障害判断テーブル４１７を参照することにより、障害部の開放と、系切替え無しとを当該障害に対する処置として決定し、ハブ制御部４１８および系状態制御部８に指示する。これに応じてハブ制御部４１８は、内部支援装置４３との接続ポートを開放するよう内部ハブ４４を制御する。また系状態制御部８は、現用系／待機系の設定を切替えない。なお、ここで現用系／待機系の設定を切替えないのは、内部支援装置４３の障害は構内交換装置の運用に致命的な影響を与えることがないためである。
【００６４】
一方、内部ハブ４４がＰＢＸ制御部４２との接続ポートにおける障害を検出し、表示したとする。そうするとＰＢＸ固有部４１においてハブ障害表示検出部４１５がこの障害発生を検出し、障害判断部４１６に通知する。障害判断部４１６は、障害判断テーブル４１７を参照することにより、障害部の開放と、系切替え有りとを当該障害に対する処置として決定し、ハブ制御部４１８および系状態制御部８に指示する。これに応じてハブ制御部４１８は、ＰＢＸ制御部４２との接続ポートを開放するよう内部ハブ４４を制御する。また系状態制御部８は、現用系／待機系の設定を切替える。なお、ここで現用系／待機系の設定を切替えるのは、ＰＢＸ制御部４２の障害は構内交換装置の運用に致命的な影響を与えるためである。
【００６５】
また、他サブシステム４が異常な状態となり、規定値以上の頻度でパケットを外部ＬＡＮへと送出するような状態になった場合、ＰＢＸ固有部４１において通信障害検出部４１４がその異常状態を検出するとともに、パケットのアドレス情報から送信元が他サブシステム４であることを検出し、障害判断部４１６に通知する。障害判断部４１６は、障害判断テーブル４１７を参照することにより、障害部の開放と、系切替え無しとを当該障害に対する処置として決定し、ハブ制御部４１８および系状態制御部８に指示する。これに応じてハブ制御部４１８は、他サブシステム４との接続ポートを開放するよう外部ハブ５を制御する。また系状態制御部８は、現用系／待機系の設定を切替えない。なお、ここで現用系／待機系の設定を切替えないのは、現用系に設定されたサブシステム４の障害ではないためである。
このようにして、障害が生じた回線や障害が生じた部位との間の回線を開放し、障害の影響が他の正常な部位に波及することを防ぐ。
【００６６】
一方、系状態制御部８により待機系に設定されたサブシステム４では、所定の各部が必要な情報の送受信を行いながら、所定の待機時動作を行っている。そして、現用系に設定されたサブシステムと同様な監視動作を行い、障害部位の開放を行う。ただし待機系に設定されたサブシステム４では、外部ハブ５の制御は行わない。
【００６７】
以上のように本実施例によれば、物理レイヤでの障害および物理レイヤよりも上位のレイヤでの障害のいずれも監視し、障害が発生した回線や障害が生じた部位との間の回線を開放するので、障害が物理レイヤおよび物理レイヤよりも上位のレイヤのいずれに生じていても、その障害の影響が他の正常な部位に波及することを防止でき、正常な部位による正常な動作を維持することができる。
【００６８】
また本実施例では、２つのサブシステム４−０  ，４−１  を設けて一方を現用系、他方を待機系とする構成とし、現用系側でＰＢＸ制御部４２の障害のような構内交換装置としての運用に致命的な障害が発生した場合には、現用系を他方のサブシステム４に切替えるようにしたので、システムダウンを起こすことなく、正常な動作を維持できる。
【００６９】
なお本発明は上記各実施例に限定されるものではない。例えば上記各実施例では、本発明の通信装置を構内交換装置に適用して説明しているが、局用の交換装置やボタン電話装置のような類似装置に本発明の適用が可能であるし、あるいは固有装置の行う動作が交換動作ではない別の装置にも本発明の適用が可能である。
【００７０】
また上記各実施例では、サブシステム１，４を２つ有してなる構内交換装置を例示しているが、３つ以上のサブシステム１，４を有した構内交換装置であっても本発明の適用が可能である。
【００７１】
また上記各実施例で用いているＬＡＮの種類はツイストペアイーサネットには限定されず、他のタイプのものも適用可能である。なお、１０ＢＡＳＥ−５や１０ＢＡＳＥ−２などを用いる場合には、ハブの代りにマルチポートトランジスタを用いる。さらには、ＬＡＮ間を接続する手段をＭＡＣブリッジとしても良い。図９は第２実施例の構成をＬＡＮ間を接続する手段としてＭＡＣブリッジを用いた場合の変形構成例を示す図であり、内部ハブ４４に代えてＭＡＣブリッジよりなる内部ブリッジ４６（４６−０，４６−１）を、また外部ハブ５に代えてＭＡＣブリッジよりなる外部ブリッジ９−０  ，９−１  をそれぞれ設けている。
【００７２】
また第２実施例では、サブシステム４を２つ有した構内交換装置を例示しているが、単一のサブシステム４よりなる構内交換装置としても良い。
また第２実施例では、内部ＬＡＮおよび各サブシステム４内の各部と、外部ＬＡＮおよび他サブシステムとの双方を監視し、内部ハブ４４および外部ハブ５の双方で障害部位の開放を行うものとなっているが、例えばあるサブシステムの動作が他のサブシステムに影響を与えない装置であるとき等には、内部ＬＡＮおよび各サブシステム４内の各部の監視と内部ハブ４４による障害部位の開放を行うのみでもよく、また例えばサブシステム４内にいずれかの障害が発生するとそのサブシステムが正常に動作できなくなる装置であるとき等には、外部ＬＡＮおよび他サブシステムの監視と外部ハブ５による障害部位の開放を行うのみでもよい。
【００７３】
また第２実施例では、現用系／待機系の切替えを現用系のサブシステム４内のＰＢＸ固有部４１での監視結果に基づいて行うものとしているが、現用系／待機系の切替えは別の監視装置での監視結果に基づいて行ったり、あるいは管理者が手動的に行う切換え指定に基づいて行うようにしても良い。
このほか、本発明の要旨を逸脱しない範囲で種々の変形実施が可能である。
【００７４】
【発明の効果】
第１の発明によれば、各サブシステムと共通接続手段との間の通信の開放／接続を行う接続処理手段を備えるとともに、前記固有装置には、起動時に自サブシステムと前記共通接続手段との間の通信を開放するよう前記接続処理手段を制御する開放制御手段と、この開放制御手段の制御の下に自サブシステムと前記共通接続手段との間の通信が開放されたのちに、自サブシステムを識別するための所定の識別情報を同報送信する識別情報送信手段と、この識別情報送信手段により前記識別情報の送信を行ったのちに前記通信回線を介して到来する接続情報を受信し、自サブシステム内の汎用計算機との通信を行う際の接続情報として設定する接続情報受信設定手段と、この接続情報受信設定手段により前記接続情報の設定を行ったのちに自サブシステムと前記共通接続手段との間の通信を接続するよう前記接続処理手段を制御する接続制御手段とを備え、また前記汎用計算機には、サブシステム内の固有装置と汎用計算機とが通信を行うために必要な接続情報が前記複数のサブシステムの全てに対応して設定されたデータベースと、前記固有装置から同報送信される識別情報を受信してその識別情報が示すサブシステムに対応する接続情報を前記データベースから抽出し、当該接続情報を自サブシステム内の固有装置との通信を行う際の接続情報として設定する接続情報抽出設定手段と、この接続情報抽出設定手段により抽出された接続情報を同報送信する接続情報送信手段とを備えたので、固有装置および汎用計算機に同一の接続情報を簡易かつ正確に設定することができる通信装置となる。
【００７６】
第２の発明によれば、固有装置とこの固有装置の動作を制御する汎用計算機とを内部通信回線および内部接続手段を介してそれぞれ接続してなる複数のサブシステムを接続する外部接続手段には、その外部接続手段に接続された前記外部通信回線の状態を監視する外部回線監視手段を備え、また前記複数のサブシステムのそれぞれが有する固有装置には、その固有装置と他のサブシステムとの通信の状態を監視する外部通信監視手段と、外部異常時制御手段とを備え、この外部異常時制御手段が、自サブシステムが現用系であるときに、前記外部回線監視手段により前記外部接続手段に接続された前記外部通信回線のいずれかに異常が検出されたときには当該外部通信回線を、また前記外部通信監視手段により通信の異常が検出されたときには当該異常を検出した外部通信監視手段が備えられた固有装置の通信相手であるサブシステムと前記外部接続手段との間の外部通信回線をそれぞれ開放するよう前記外部接続手段を制御するようにしたので、物理レイヤよりも上位のレイヤでの異常が生じた場合でも、その異常の発生箇所を他の正常な部位から切り離すことができ、正常な部位による正常な動作を維持することができる通信装置となる。
【００７７】
第３の発明によれば、固有装置と汎用計算機とを接続する内部接続手段には、その内部接続手段に接続された前記内部通信回線の状態を監視する内部回線監視手段を備え、前記外部接続手段には、その外部接続手段に接続された前記外部通信回線の状態を監視する外部回線監視手段を備え、さらに前記固有装置には、その固有装置と他部との通信の状態を監視する内部通信監視手段と、その固有装置と他のサブシステムとの通信の状態を監視する外部通信監視手段と、内部異常時制御手段と、外部異常時制御手段とを備え、内部異常時制御手段が、前記内部回線監視手段により前記内部接続手段に接続された前記内部通信回線のいずれかに異常が検出されたときには当該内部通信回線を、また前記内部通信監視手段により通信の異常が検出されたときには当該異常を検出した内部通信監視手段が備えられた固有装置の通信相手と前記内部接続手段との間の内部通信回線をそれぞれ開放するよう前記内部接続手段を制御するとともに、前記外部異常時制御手段が、自サブシステムが現用系であるときに、前記外部回線監視手段により前記外部接続手段に接続された前記外部通信回線のいずれかに異常が検出されたときには当該外部通信回線を、また前記外部通信監視手段により通信の異常が検出されたときには当該異常を検出した外部通信監視手段が備えられた固有装置の通信相手であるサブシステムと前記外部接続手段との間の外部通信回線をそれぞれ開放するよう前記外部接続手段を制御するようにしたので、物理レイヤよりも上位のレイヤでの異常が生じた場合でも、その異常の発生箇所を他の正常な部位から切り離すことができ、正常な部位による正常な動作を維持することができる通信装置となる。
【００７８】
第４の発明によれば、第３の発明における内部異常時制御手段を、自サブシステムが現用系であるときには、内部接続手段と汎用計算機との間の内部通信回線に異常が検出されたとき、または内部通信監視手段により汎用計算機との間の通信の異常が検出されたときには、現用系を他のサブシステムに切り替えるための所定の処理を併せて行うものとしたので、物理レイヤよりも上位のレイヤでの異常が生じた場合でも、その異常の発生箇所を他の正常な部位から切り離すことができ、正常な部位による正常な動作を維持することができる通信装置となる。
【図面の簡単な説明】
【図１】第１実施例に係る通信装置を適用して構成された構内交換装置の概略構成を示すブロック図。
【図２】図１中のＰＢＸ固有部１１の詳細な構成を示すブロック図。
【図３】図１中のＰＢＸ制御部１２の詳細な構成を示すブロック図。
【図４】図３中の情報テーブル１２３に設定された情報を模式的に示す図。
【図５】図２中の固有部制御部１１６および図３中の主制御部１２４による接続情報設定処理の際の処理手順を示すフローチャート。
【図６】第２実施例に係る通信装置を適用して構成された構内交換装置の概略構成を示すブロック図。
【図７】図６中のＰＢＸ固有部４１の詳細な構成を示すブロック図。
【図８】図６中の障害判断テーブル４１７に設定された情報を模式的に示す図。
【図９】第２実施例の構成をＬＡＮ間を接続する手段としてＭＡＣブリッジを用いた場合の変形構成例を示す図。
【符号の説明】
１（１−０  ，１−１  ），４（４−０  ，４−１  ）…サブシステム
２，５…外部ハブ
３，６…外部回線
７…外部支援装置
８…系状態制御部
１１（１１−０，１１−１），４１（４１−０，４１−１）…ＰＢＸ固有部
１２（１２−０，１２−１），４２（４２−０，４２−１）…ＰＢＸ制御部
１３（１３−０，１３−１），４４（４４−０，４４−１）…内部ハブ
１４（１４−０，１４−１），４５（４５−０，４５−１）…内部回線
４３（４３−０，４３−１）…内部支援装置
１１０…タイムスイッチ
１１１（１１１−１  〜１１１−ｍ  ）…局線インタフェース
１１２（１１２−１  〜１１２−ｎ  ）…内線インタフェース
１１３，１２２，４１０…イーサネットインタフェース
１１４…内部ハブ制御インタフェース
１１５…識別情報読出部
１１６…固有部制御部
１１６ａ…内部ハブ制御手段
１１６ｂ…識別情報送信手段
１１６ｃ…接続情報設定手段
１２１…交換処理部
１２３…情報テーブル
１２４…主制御部
１２４ａ…接続情報抽出設定手段
１２４ｂ…接続情報送信手段
４１０…イーサネットインタフェース
４１１…通信処理部
４１２…交換スイッチインタフェース
４１３…ライントランク系通信インタフェース
４１４…通信障害検出部
４１５…ハブ障害検出部
４１６…障害判断部
４１７…障害判断テーブル
４１８…ハブ制御部
４１９…系状態制御部インタフェース
【図１】
0003561037.tif 000002
【図２】
0003561037.tif 000003
【図３】
0003561037.tif 000004
【図４】
0003561037.tif 000005
【図５】
0003561037.tif 000006
【図６】
0003561037.tif 000007
【図７】
0003561037.tif 000008
【図８】
0003561037.tif 000009
【図９】
0003561037.tif 000010